(57)【要約】      （修正有）【課題】ペットの遺骨を土に戻すのではなく、遺骨収容部に収容することによって、庭や墓地の片隅のみならず自宅やマンションの屋内にも載置することが可能なペット用の墓を提案する。【解決手段】墓石材２０の一部に有底の遺骨収容部３０を形成したことを特徴とし、前記墓石材を御影石又は大理石とし、前記遺骨収容部の上部開口３１に蓋部４０を配置する。また、前記墓石材が下石部２１及び上石部２２よりなり、前記遺骨収容部３０が下石部に形成され、該遺骨収容部の上部開口が前記上石部凸底部によって開閉自在に閉鎖することができるようにしても良い。【選択図】図２
0003163393.tif 000002
【実用新案登録請求の範囲】
【請求項１】
墓石材の一部に有底の遺骨収容部を形成したことを特徴とするペット用墓。
【請求項２】
前記墓石材が御影石又は大理石である請求項１に記載のペット用墓。
【請求項３】
前記遺骨収容部の上部開口に蓋部が配置された請求項１又は２に記載のペット用墓。
【請求項４】
前記墓石材が下石部及び上石部よりなり、前記遺骨収容部が下石部に形成され、該遺骨収容部の上部開口が前記上石部凸底部によって開閉自在に閉鎖された請求項１又は２に記載のペット用墓。
【請求項５】
前記上石部の側面底部に手掛け用の切欠部が形成された請求項４に記載のペット用墓。
【請求項６】
前記墓石材が下石部及び上石部よりなり、前記遺骨収容部が上石部に形成され、該遺骨収容部の上部開口に石材よりなる蓋部が配置された請求項１又は２に記載のペット用墓。
【請求項７】
前記墓石材の正面が文字、絵画、写真を表示する表示部として形成された請求項１ないし６のいずれかに記載のペット用墓。
【請求項８】
前記墓石材の総重量が２０〜５０ｋｇである請求項１ないし７のいずれかに記載のペット用墓。
【請求項９】
前記墓石材に重量軽減用の切欠空間が形成された請求項１ないし８のいずれかに記載のペット用墓。
【考案の詳細な説明】
【技術分野】
【０００１】
この考案はペット用墓に関し、特には、石材よりなる重厚なペット用の墓に関する。
【背景技術】
【０００２】
近年、ペット愛好家の増大に伴いペット用の墓の需要も増加している。例えば、特許文献１では、下敷となる板状の座面石の上面に筒方の下台石をのせ、その上部に蓋石を積み上げて骨壺のための収容空間を形成するとともに、前記蓋石に棹石を配置するものが提案されている。この提案構造によれば、蓋石を積み上げる程度の小さな墓でかつ組み立てが簡単で骨壺の収容が容易に行える等の効果が記載されている。
【０００３】
しかしながら、蓋石を積み上げる程度の小さな墓でかつ組み立て等が簡単容易な墓は、例えば庭や共同墓地の墓の片隅に置く場合には、人の墓石と違って風雨や地震などによってずれたり崩れやすく、また、なによりも貧弱な印象を受ける。ペットといえども、長年連れ添った伴侶の墓として重厚な墓を希望する需要もある。
【先行技術文献】
【特許文献】
【０００４】
【特許文献１】特開２００４−１２４６２１号公報
【考案の概要】
【考案が解決しようとする課題】
【０００５】
この考案は、上の状況に鑑みて、人の墓と遜色のない、重厚なペット用の墓を提案するものである。この考案は、ペットの遺骨を土に戻すのではなく、遺骨収容部に収容することによって、庭や墓地の片隅のみならず自宅やマンションの屋内にも載置することが可能なペット用の墓を提案するものである。また、この考案は、従来技術のように、骨壺を必要とせず、遺骨を直接収容することが可能なペット用の墓を提案するものである。
【課題を解決するための手段】
【０００６】
すなわち、請求項１の考案は、墓石材の一部に有底の遺骨収容部を形成したことを特徴とするペット用墓に係る。
【０００７】
請求項２の考案は、前記墓石材が御影石又は大理石である請求項１に記載のペット用墓に係る。
【０００８】
請求項３の考案は、前記遺骨収容部の上部開口に蓋部が配置された請求項１又は２に記載のペット用墓に係る。
【０００９】
請求項４の考案は、前記墓石材が下石部及び上石部よりなり、前記遺骨収容部が下石部に形成され、該遺骨収容部の上部開口が前記上石部底部によって開閉自在に閉鎖された請求項１又は２に記載のペット用墓に係る。
【００１０】
請求項５の考案は、前記上石部の側面底部に手掛け用の切欠部が形成された請求項４に記載のペット用墓に係る。
【００１１】
請求項６の考案は、前記墓石材が下石部及び上石部よりなり、前記遺骨収容部が上石部に形成され、該遺骨収容部の上部開口に石材よりなる蓋部が配置された請求項１又は２に記載のペット用墓に係る。
【００１２】
請求項７の考案は、前記墓石材の正面が文字、絵画、写真を表示する表示部として形成された請求項１ないし６のいずれかに記載のペット用墓に係る。
【００１３】
請求項８の考案は、前記墓石材の総重量が２０〜５０ｋｇである請求項１ないし７のいずれかに記載のペット用墓に係る。
【００１４】
請求項９の考案は、前記墓石材に重量軽減用の切欠空間が形成された請求項１ないし８のいずれかに記載のペット用墓に係る。
【考案の効果】
【００１５】
請求項１の考案によれば、墓石材の一部に有底の遺骨収容部を形成したことを特徴とするペット用墓に係るものであるから、人の墓と遜色のない、重厚なペット用の墓とすることができる。また、有底の遺骨収容部を形成したものであるから、ペットの遺骨を土に戻すのではなく、この遺骨収容部に収容することによって、庭や墓地の片隅のみならず自宅やマンションの屋内にも載置することが可能となる。のみならず、また、従来技術のような骨壺を必要とせず、遺骨を直接収容することができる。
【００１６】
請求項２の考案によれば、前記墓石材が御影石又は大理石である請求項１に記載のペット用墓に係るものであるから、加工が容易で、かつ人の墓と同じ石材を使用した高級感のある重厚なペット用の墓とすることができる。
【００１７】
請求項３の考案によれば、前記遺骨収容部の上部開口に蓋部が配置された請求項１又は２に記載のペット用墓に係るものであるから、製作が容易であるばかりでなく、蓋部の開閉によって遺骨を上方より簡単に収容できる。
【００１８】
請求項４の考案によれば、前記墓石材が下石部及び上石部よりなり、前記遺骨収容部が下石部に形成され、該遺骨収容部の上部開口が前記上石部底部によって開閉自在に閉鎖された請求項１又は２に記載のペット用墓に係るものであるから、遺骨収容部等の製作が容易にできるばかりでなく、上下２段の石部によって重厚かつ豪華な墓とすることができる。また、遺骨収容部の上部開口を合理的に開閉することができる。
【００１９】
請求項５の考案によれば、前記上石部の側面底部に手掛け用の切欠部が形成された請求項４に記載のペット用墓に係るものであるから、簡単な構成で上石部の移動を安全かつ確実に行なうことができる。
【００２０】
請求項６の考案によれば、前記墓石材が下石部及び上石部よりなり、前記遺骨収容部が上石部に形成され、該遺骨収容部の上部開口に石材よりなる蓋部が配置された請求項１又は２に記載のペット用墓に係るものであるから、遺骨の収納に際して上石部を移動させる必要が無く簡単かつ容易に行なうことができる。
【００２１】
請求項７の考案によれば、前記墓石材の正面が文字、絵画、写真を表示する表示部として形成された請求項１ないし６のいずれかに記載のペット用墓に係るものであるから、人の墓と同様の表示をして亡きペットを偲ぶことができる。
【００２２】
請求項８の考案によれば、前記墓石材の総重量が２０〜５０ｋｇである請求項１ないし７のいずれかに記載のペット用墓に係るものであるから、重厚かつ豪華な墓とすることができる。
【００２３】
請求項９の考案によれば、前記墓石材に重量軽減用の切欠空間が形成された請求項１ないし８のいずれかに記載のペット用墓に係るものであるから、外観を損なうことなく過剰な重量を軽減することができる。
【図面の簡単な説明】
【００２４】
【図１】この考案のペット用墓の一実施例を図示した全体斜視図である。
【図２】図１のペット用墓の縦断面である。
【図３】この考案のペット用墓の他の実施例を図示した全体斜視図である。
【図４】図３のペット用墓の上面図である。
【図５】同じく図３のペット用墓の一部縦断面図である。
【図６】さらにこの考案のペット用墓の別の実施例を図示した全体斜視図である。
【図７】図６のペット用墓の上面図である。
【図８】図６のペット用墓の縦断面図である。
【考案を実施するための形態】
【００２５】
図１及び図２に図示したように、この考案のペット用墓１０は、墓石材２０の一部に有底の遺骨収容部３０を形成したことを特徴とするものである。図の符号Ｂは遺骨収容部３０の内底部を表す。
【００２６】
前記墓石材２０としては、請求項２の考案として規定したように、人の墓と同じ御影石又は大理石が加工容易で好ましい。
【００２７】
図１，２のペット用墓１０では、図示しかつ請求項３の考案として規定したように、前記遺骨収容部３０の上部開口３１に蓋部４０が配置されている。なお、蓋部４０の下面に遺骨収容部３０の上部開口３１に嵌合するた凸部Ｐを形成すれば蓋部４０を安定的かつ確実に上部開口３１に配置できる。この実施例の墓１０において破線で示したように、上の石材１０を上石部２２として、その下部に下石部２１を配置してもよい。図３以下で示す例はいずれも下石部を有する例である。
【００２８】
図３ないし図８で示すペット用墓１１、１２は、図示し請求項４の考案として規定したように、前記墓石材が下石部２３，２５及び上石部２４，２６よりなり、前記遺骨収容部３２，３４が下石部２３，２５に形成され、該遺骨収容部３２，３４の上部開口３３，３５が前記上石部凸底部２４Ｐ，２６Ｐによって開閉自在に閉鎖されたものである。上石部凸底部２４Ｐ，２６Ｐが下石部２３，２５の遺骨収容部３２，３４の上部開口３３，３５に嵌め合されることによって、上石部２４，２６を安定的かつ確実に上部開口３３，３５に配置できる。
【００２９】
また、これらの実施例のペット用墓１１、１２は、図示し請求項５の考案として規定したように、前記上石部２４，２６の側面底部に手掛け用の切欠部５０，５１が形成され、上石部２４，２６の移動を安全かつ確実にできるようになっている。
【００３０】
なお、前記した図１，２の破線で示し請求項６の考案として規定したように、前記墓石材が下石部２１及び上石部２２よりなり、前記遺骨収容部３０が上石部２１に形成され、該遺骨収容部３０の上部開口３１に石材よりなる蓋部４９を配置してもよい。
【００３１】
図１、３，６の各斜視図に図示し請求項７の考案として規定したように、前記墓石材の正面が文字、絵画、写真を表示する表示部６５を形成してもよい。
【００３２】
また、図示し請求項８の考案として規定したように、前記墓石材の総重量が２０〜５０ｋｇとすることは、重厚さと持ち運び等を勘案した重量である。つまり、２０ｋｇ以下ではやや重厚さを不足し、５０ｋｇ以上では持ち運びに不便さを感ずる。
【００３３】
さらに、図８のペット用墓１２に図示し請求項９の考案として規定したように、前記墓石材に重量軽減用の切欠空間５５を形成することは好ましいことである。
【符号の説明】
【００３４】
１０，１１，１２  ペット用墓
２０  墓石材
２１，２３，２５  下石部
２２，２４，２６  上石部
２４Ｂ，２６Ｂ  下石部凸底部
３０，３２，３４  遺骨収容部
３１，３３，３５  上部開口
４０  蓋部
５０，５１  手掛け用切欠部
５５  重量軽減用切欠部
６０  花立て
６５  表示部
【図１】
0003163393.tif 000003
【図２】
0003163393.tif 000004
【図３】
0003163393.tif 000005
【図４】
0003163393.tif 000006
【図５】
0003163393.tif 000007
【図６】
0003163393.tif 000008
【図７】
0003163393.tif 000009
【図８】
0003163393.tif 000010